(57)【要約】      （修正有）【課題】複数の側面表示部を有する携帯用端末機の側面表示部で提供されるイメージを使用者にそのまま伝達しつつ、同時に側面表示部を保護する携帯用端末機カバーを提供する。【解決手段】電子装置ＤＤにおいて、携帯用端末機カバーＰＣ−１は、携帯用端末機ＭＤの複数の側面表示部をカバーし、透明な複数の側面部ＳＤＰ１、ＳＤＰ２及び携帯用端末機の上部面表示部ＴＤＰをカバーし、側面部ＳＤＰ１、ＳＤＰ２の中の少なくとも１つの側面部と連結された前面部ＦＰを含んで、携帯用端末機ＭＤの側面表示部ＳＤＰ１、ＳＤＰ２を保護しつつ、側面表示部ＳＤＰ１、ＳＤＰ２で提供されるイメージを確認できる。【選択図】図６
2019047499.tif 000002
【特許請求の範囲】
【請求項１】
携帯用端末機の複数の側面表示部をカバーし、透明な複数の側面部と、
前記携帯用端末機の上部面表示部をカバーし、前記側面部の中の少なくとも１つの側面部と連結された前面部と、を含んだことを特徴とする携帯用端末機カバー。
【請求項２】
前記側面部は、前記側面表示部をカバーする４つの側面部を含み、
前記４つの側面部は、前記前面部の４つの側面に各々連結され、前記前面部と一体の形状をなすことを特徴とする請求項１に記載の携帯用端末機カバー。
【請求項３】
前記前面部は、透明であることを特徴とする請求項２に記載の携帯用端末機カバー。
【請求項４】
前記４つの側面部の中の隣接する側面部の間に配置された少なくとも１つの連結部をさらに含むことを特徴とする請求項２に記載の携帯用端末機カバー。
【請求項５】
前記前面部と対向する背面部と、
前記前面部の一側に連結されて第１モードで前記携帯用端末機の一側面をカバーし、第２モードで前記携帯用端末機の前記一側面を露出させる蓋部と、をさらに含むことを特徴とする請求項１に記載の携帯用端末機カバー。
【請求項６】
前記側面部は、前記側面表示部をカバーする３つの側面部を含み、
前記３つの側面部は、前記前面部と前記背面部との間に配置されたことを特徴とする請求項５に記載の携帯用端末機カバー。
【請求項７】
前記前面部、前記背面部、及び前記３つの側面部によって定義された挿入空間を提供することを特徴とする請求項６に記載の携帯用端末機カバー。
【請求項８】
前記携帯用端末機の下部面をカバーし、前記側面部と連結された背面部をさらに含み、
前記側面部の中のいずれか１つの側面部は、前記前面部と前記背面部とを連結することを特徴とする請求項１に記載の携帯用端末機カバー。
【請求項９】
前記側面部は、前記側面表示部をカバーする４つの側面部を含み、
前記４つの側面部は、前記背面部の４つの側面に各々連結されて一体の形状をなすことを特徴とする請求項８に記載の携帯用端末機カバー。
【請求項１０】
前記４つの側面部の中の隣接する側面部の間に配置された少なくとも１つの連結部をさらに含み、前記少なくとも１つの連結部は、発光素子を含むことを特徴とする請求項９に記載の携帯用端末機カバー。
【請求項１１】
前記少なくとも１つの連結部は、前記背面部と連結され、
前記背面部は、背面発光素子を含むことを特徴とする請求項１０に記載の携帯用端末機カバー。
【請求項１２】
前記背面部は、前記携帯用端末機と結合する締結部をさらに含むことを特徴とする請求項８に記載の携帯用端末機カバー。
【請求項１３】
上部面表示部、及び前記上部面表示部から延長された少なくとも４つの側面表示部を含む携帯用端末機と、
前記側面表示部をカバーし、前記側面表示部で提供するイメージを透過させる複数の側面部、及び前記側面部の中の少なくとも１つの側面部と連結されて前記上部面表示部をカバーする前面部を含む携帯用端末機カバーと、を含むことを特徴とする電子装置。
【請求項１４】
前記側面表示部の表示面は、前記上部面表示部の表示面と平行でないことを特徴とする請求項１３に記載の電子装置。
【請求項１５】
前記携帯用端末機カバーは、側面部の中の隣接する側面部の間に配置される少なくとも１つの連結部をさらに含み、前記連結部は、発光素子を含み、
前記発光素子は、前記携帯用端末機で提供される信号を受信して制御されることを特徴とする請求項１３に記載の電子装置。
【発明の詳細な説明】
【技術分野】
【０００１】
本発明は携帯用端末機カバー及び携帯用端末機カバーを含む電子装置に係り、より詳細には、側面にイメージを提供する複数の側面表示部を有する携帯用端末機のための保護カバー及びこれを含む電子装置に関する。
【背景技術】
【０００２】
映像情報を提供するために多様な形態の電子装置が使用されており、最近では上部面のみならず多様な方向にイメージ又は映像を提供する複数の表示部を有する電子装置に対する開発が進んでいる。
【０００３】
一方、携帯用電子装置の場合、使用する間に電子装置を外部の刺激や衝撃から保護するためのカバーを必要とする。特に最近開発されている複数の表示部を有する電子装置においては複数の表示部で表示されるイメージを使用者にそのまま提供しつつ、同時に多様な方向に露出された表示部を保護する保護カバーに対する開発を必要としている。
【先行技術文献】
【特許文献】
【０００４】
【特許文献１】米国特許第８，５４７，６９５号公報
【特許文献２】米国特許第８，９１５，３６０号公報
【特許文献３】米国特許第９，０７２，３５１号公報
【特許文献４】米国特許第９，４７３，１９２号公報
【特許文献５】米国特許第９，７６８，８１８号公報
【特許文献６】米国特許公開第２０１５／０１８５７６０号明細書
【特許文献７】米国特許公開第２０１５／０３１１９３７号明細書
【特許文献８】米国特許公開第２０１５／０３７８５９２号明細書
【発明の概要】
【発明が解決しようとする課題】
【０００５】
本発明の目的は複数の側面表示部を有する携帯用端末機の側面表示部で提供されるイメージを使用者にそのまま伝達しつつ、同時に側面表示部を保護する携帯用端末機カバーを提供することにある。
【０００６】
また、本発明の目的は複数の側面表示部を有する携帯用端末機、及び側面表示部をカバーするための透明な側面部を有する携帯用端末機カバーを含んで、側面表示部で表示されたイメージを携帯用端末機カバーを通じて使用者に容易に伝達しつつ携帯用端末機が外部環境から安全に保護される電子装置を提供することにある。
【課題を解決するための手段】
【０００７】
一実施形態は携帯用端末機の複数の側面表示部をカバーし、透明な複数の側面部と、前記携帯用端末機の上部面表示部をカバーし、前記側面部の中の少なくとも１つの側面部と連結された前面部を含んだ携帯用端末機カバーと、を提供する。
【０００８】
前記側面部は前記側面表示部をカバーする４つの側面部を含み、前記４つの側面部は前記前面部の４つの側面に各々連結され、前記前面部と一体の形状をなす。
【０００９】
前記前面部は透明である。
【００１０】
一実施形態の携帯用端末機カバーは前記４つの側面部の中の隣接する側面部の間に配置された少なくとも１つの連結部をさらに含む。
【００１１】
前記側面部、前記前面部及び前記連結部は一体に形成される。
【００１２】
前記携帯用端末機の下部面が露出されるように開放され、前記４つの側面部及び前記前面部によって定義された挿入空間を提供する。
【００１３】
一実施形態の携帯用端末機カバーは、前記前面部と対向する背面部と、前記前面部の一側に連結されて第１モードで前記携帯用端末機の一側面をカバーし、第２モードで前記携帯用端末機の前記一側面を露出させる蓋部と、をさらに含む。
【００１４】
前記側面部は前記側面表示部をカバーする３つの側面部を含み、前記３つの側面部は前記前面部と前記背面部との間に配置される。
【００１５】
前記前面部、前記背面部、及び前記３つの側面部によって定義された挿入空間を提供する。
【００１６】
前記前面部、前記背面部、及び前記３つの側面部は一体に形成され、透明である。
【００１７】
前記前面部、前記背面部、前記３つの側面部、及び前記蓋部は一体に形成され、前記前面部、前記３つの側面部、及び前記蓋部は透明であり、前記背面部は不透明である。
【００１８】
一実施形態の携帯用端末機カバーは前記携帯用端末機の下部面をカバーし、前記側面部と連結された背面部をさらに含み、前記側面部の中のいずれか１つの側面部は前記前面部と前記背面部とを連結する。
【００１９】
前記前面部は第３モードで前記上部面表示部をカバーし、第４モードで前記前面部はオープンにされて前記上部面表示部を露出させる。
【００２０】
前記側面部は前記側面表示部をカバーする４つの側面部を含み、前記４つの側面部は前記背面部の４つの側面に各々連結されて一体の形状をなす。
【００２１】
前記４つの側面部の各々は前記背面部と連結されて前記上部面表示部方向に屈曲される。
【００２２】
一実施形態の携帯用端末機カバーは前記４つの側面部の中の隣接する側面部の間に配置された少なくとも１つの連結部をさらに含み、前記少なくとも１つの連結部は発光素子を含む。
【００２３】
前記少なくとも１つの連結部は前記背面部と連結され、前記背面部は背面発光素子を含む。
【００２４】
前記背面部及び前記４つの側面部によって定義され、前記携帯用端末機が安着される挿入空間を提供する。
【００２５】
前記背面部は前記携帯用端末機と結合する締結部をさらに含む。
【００２６】
一実施形態は第１方向にイメージを提供する主表示面と前記第１方向と異なる方向にイメージを提供する複数の副表示面とを含んだ携帯用端末機の前記副表示面をカバーし、透明な複数の側面部と、前記側面部の中で少なくとも１つの側面部と連結されて前記主表示面をカバーする前面部と、を含む携帯用端末機カバーを提供する。
【００２７】
前記副表示面は４つの副表示面を含み、前記側面部は前記４つの副表示面を各々カバーする４つの側面部を含む。
【００２８】
他の実施形態は上部面表示部、及び前記上部面表示部から延長された少なくとも４つの側面表示部を含む携帯用端末機と、前記側面表示部をカバーし、前記側面表示部で提供するイメージを透過させる複数の側面部、及び前記側面部の中の少なくとも１つの側面部と連結されて前記上部面表示部をカバーする前面部を含む携帯用端末機カバーと、を含む電子装置を提供する。
【００２９】
前記側面表示部の表示面は前記上部面表示部の表示面と平行でなくともよい。
【００３０】
前記携帯用端末機カバーは側面部の中の隣接する側面部の間に配置される少なくとも１つの連結部をさらに含み、前記連結部は発光素子を含み、前記発光素子は前記携帯用端末機で提供される信号を受信して制御される。
【発明の効果】
【００３１】
一実施形態の携帯用端末機カバーは透明な側面部を含んで携帯用端末機の側面表示部で提供されるイメージをカバーが提供された状態で使用者に伝達できる。
【００３２】
一実施形態の電子装置は複数の側面表示部を含む携帯用端末機及び側面表示部をカバーする透明な側面部を含む携帯用端末機カバーを含んで携帯用端末機を保護しつつ多様な方向に映像を提供できる。
【図面の簡単な説明】
【００３３】
【図１】一実施形態の電子装置に含まれた携帯用端末機の実施形態を示した斜視図である。
【図２】一実施形態の携帯用端末機カバーの斜視図である。
【図３】一実施形態の携帯用端末機カバーの斜視図である。
【図４】一実施形態の携帯用端末機カバーを携帯用端末機に提供する段階を示した図である。
【図５】図２及び図３に図示した一実施形態の携帯用端末機カバーを含む電子装置の一実施形態を示した斜視図である。
【図６】図５のＩ−Ｉ’線に対応する部分の断面図である。
【図７】図５のＩＩ−ＩＩ’線に対応する部分の断面図である。
【図８】携帯用端末機カバーの他の実施形態を示した斜視図である。
【図９】図８に図示した一実施形態の携帯用端末機カバーを含んだ電子装置の一実施形態を示した斜視図である。
【図１０】図９のＩＩＩ−ＩＩＩ’線に対応する部分を示した断面図である。
【図１１】一実施形態の携帯用端末機カバーの斜視図である。
【図１２】一実施形態の携帯用端末機カバーの斜視図である。
【図１３】一実施形態の携帯用端末機カバーの斜視図である。
【図１４】一実施形態の携帯用端末機カバーを携帯用端末機に提供する段階を示した図である。
【図１５】図１１及び図１２に図示した一実施形態の携帯用端末機カバーを含んだ一実施形態の電子装置の斜視図である。
【図１６】図１５のＩＶ−ＩＶ’線に対応する部分の断面図である。
【図１７】一実施形態の携帯用端末機カバーの斜視図である。
【図１８】一実施形態の携帯用端末機カバーの斜視図である。
【図１９】一実施形態の携帯用端末機カバーの斜視図である。
【図２０】図１７のＶ−Ｖ’線に対応する部分の断面図である。
【図２１】図１９のＶＩ−ＶＩ’線に対応する部分の断面図である。
【図２２】一実施形態の携帯用端末機カバーを含んだ電子装置の一実施形態を示した斜視図である。
【図２３】一実施形態の携帯用端末機カバーを含んだ電子装置の一実施形態を示した斜視図である。
【図２４】一実施形態の携帯用端末機カバーの斜視図である。
【図２５】図２４の一実施形態の携帯用端末機カバーの一側面図である。
【図２６】一実施形態の携帯用端末機カバーの斜視図である。
【図２７】一実施形態の電子装置の上部面を主に示すようにした斜視図である。
【図２８】一実施形態の電子装置の下部面を主に示すようにした斜視図である。
【発明を実施するための形態】
【００３４】
本発明は多様な変更を行うことができ、様々な形態を有することができるので、特定の実施形態を図面に例示し、本文で詳細に説明する。しかし、これは本発明を特定の開示形態に対して限定しようとすることではなく、本発明の思想及び技術範囲に含まれるすべての変更、均等物乃至代替物を含むとして理解されるべきである。
【００３５】
各図面を説明し、類似の参照符号を類似の構成要素に対して使用した。添付した図面において、構造物の寸法は本発明の明確性のために実際より拡大して図示した。第１、第２等の用語は多様な構成要素を説明するために使用するが、前記構成要素は前記用語によって限定されない。前記用語は１つの構成要素を他の構成要素から区別する目的のみに使用する。例えば、本発明の権利範囲を逸脱しなく、第１構成要素は第２構成要素と称され、同様に第２構成要素も第１構成要素と称される。単数の表現は文脈上に明確に表現しない限り、複数の表現を含む。
【００３６】
本出願で、‘‘含む’’等の用語は明細書上に記載された特徴、数字、段階、動作、構成要素、部品、又はこれらの組合せが存在することを表現しようするものであり、１つ又はその以上の他の特徴や数字、段階、動作、構成要素、部分品、又はこれらの組合せの存在又は付加可能性を予め排除しないとして理解されるべきである。
【００３７】
本出願で、層、膜、領域、板等の部分が他の部分の‘‘上に’’あるとする場合、これは、他の部分の‘‘直ちに上に’’ある場合のみでなく、その中間にその他の部分がある場合も含む。反対に、層、膜、領域、板等の部分が他の部分の‘‘下に’’あるとする場合、これは、他の部分の‘‘直ちに下に’’ある場合のみでなく、その中間にその他の部分がある場合も含む。また、本出願で‘‘上に’’配置されるということは層、膜、領域、板等の部分が他の部分の上部のみならず、下部に配置される場合も含む。
【００３８】
以下、図面を参照して本発明の一実施形態に係る携帯用端末機カバー及び一実施形態の電子装置に対して説明する。
【００３９】
図１は一実施形態の電子装置に含まれた携帯用端末機ＭＤの実施形態を示した斜視図である。図２及び図３は一実施形態の電子装置に含まれた一実施形態の携帯用端末機カバーＰＣ−１の斜視図である。図４は一実施形態の携帯用端末機カバーＰＣ−１を携帯用端末機ＭＤに提供する段階を示した図であり、図５は図２及び図３に図示した一実施形態の携帯用端末機カバーＰＣ−１を含む電子装置ＤＤの一実施形態を示した斜視図である。
【００４０】
図１を参照すれば、一実施形態で携帯用端末機ＭＤは少なくとも１つの側面表示部ＳＤＰ１、ＳＤＰ２、ＳＤＰ３、ＳＤＰ４を含む。
【００４１】
携帯用端末機ＭＤは上部面表示部ＴＤＰ及び複数の側面表示部ＳＤＰ１、ＳＤＰ２、ＳＤＰ３、ＳＤＰ４を含む立体表示装置である。複数の側面表示部ＳＤＰ１、ＳＤＰ２、ＳＤＰ３、ＳＤＰ４の各々は上部面表示部ＴＤＰの一側から延長された表示面である。一実施形態で携帯用端末機ＭＤは一方向に主にイメージを提供する主表示面と前記一方向と異なる方向にイメージを提供する複数の副表示面とを含む。図１に図示した携帯用端末機ＭＤの実施形態で主表示面は上部面表示部ＴＤＰであり、副表示面は側面表示部ＳＤＰ１、ＳＤＰ２、ＳＤＰ３、ＳＤＰ４である。主表示面である上部面表示部ＴＤＰで主要イメージＩＭを表示し、副表示面である側面表示部ＳＤＰ１、ＳＤＰ２、ＳＤＰ３、ＳＤＰ４ではサブイメージＳＩＭを表示する。
【００４２】
側面表示部ＳＤＰ１、ＳＤＰ２、ＳＤＰ３、ＳＤＰ４は上部面表示部ＴＤＰの表示面と平行でない表示面を有する。一方、複数の側面表示部ＳＤＰ１、ＳＤＰ２、ＳＤＰ３、ＳＤＰ４は上部面表示部ＴＤＰの一側から各々ベンディングされて延長された表示領域として、例えば複数の側面表示部ＳＤＰ１、ＳＤＰ２、ＳＤＰ３、ＳＤＰ４はベンディング表示領域である。
【００４３】
上部面表示部ＴＤＰは第３方向軸ＤＲ３方向にイメージＩＭを提供する。上部面表示部ＴＤＰは第１方向軸ＤＲ１と第２方向軸ＤＲ２とが定義する面と平行である平面である。即ち、上部面表示部ＴＤＰは第１方向軸ＤＲ１と第２方向軸ＤＲ２とが定義する面に対する法線方向である第３方向軸ＤＲ３方向にイメージＩＭを提供する。
【００４４】
一方、図１で第４方向軸ＤＲ４は第３方向軸ＤＲ３と反対に延長される方向を示す。例えば、第３方向軸ＤＲ３方向は上部面表示部ＴＤＰが使用者にイメージを提供する方向であり、第４方向軸ＤＲ４方向は使用者が上部面表示部ＴＤＰを見る方向である。一方、第１乃至第４方向軸ＤＲ１、ＤＲ２、ＤＲ３、ＤＲ４が指示する方向は相対的な概念として図面に図示したのと異なる方向に変換できる。
【００４５】
側面表示部ＳＤＰ１、ＳＤＰ２、ＳＤＰ３、ＳＤＰ４は第１方向軸ＤＲ１、及び第２方向軸ＤＲ２と交差する方向にイメージを提供する。図１に図示した携帯用端末機ＭＤで側面表示部は第１方向軸ＤＲ１、及び第２方向軸ＤＲ２と交差する方向に各々イメージを提供する４つの側面表示部ＳＤＰ１、ＳＤＰ２、ＳＤＰ３、ＳＤＰ４を含むとして図示している。しかし、実施形態がこれに限定されることはなく、側面表示部の数は携帯用端末機ＭＤのデザイン変更に応じて変更される。例えば、一実施形態の携帯用端末機ＭＤは４つより多い側面表示部を含む。
【００４６】
側面表示部ＳＤＰ１、ＳＤＰ２、ＳＤＰ３、ＳＤＰ４は上部面表示部ＴＤＰから延長された表示面であり、側面表示部ＳＤＰ１、ＳＤＰ２、ＳＤＰ３、ＳＤＰ４と上部面表示部ＴＤＰは共に制御されて連結された１つのイメージを提供できる。また、側面表示部ＳＤＰ１、ＳＤＰ２、ＳＤＰ３、ＳＤＰ４と上部面表示部ＴＤＰは同時に制御されて互いに異なるイメージを提供できる。
【００４７】
これと異なり、一実施形態で上部面表示部ＴＤＰはメーンイメージＩＭを提供し、側面表示部ＳＤＰ１、ＳＤＰ２、ＳＤＰ３、ＳＤＰ４はサブイメージＳＩＭを提供する。例えば、上部面表示部ＴＤＰには主要映像を表示し、側面表示部ＳＤＰ１、ＳＤＰ２、ＳＤＰ３、ＳＤＰ４には情報提供のための簡単なアイコンが表示される。
【００４８】
図１を参照すれば、携帯用端末機ＭＤはコーナー部ＣＤＰを含む。コーナー部ＣＤＰは各々互いに隣接する側面表示部ＳＤＰ１、ＳＤＰ２、ＳＤＰ３、ＳＤＰ４の間に配置される。コーナー部ＣＤＰはイメージを提供しない非表示領域である。例えば、一実施形態の携帯用端末機ＭＤの上部面表示部ＴＤＰが四角形状である場合、コーナー部ＣＤＰは四角形の各頂点に対応する角部分に配置される。携帯用端末機ＭＤは下部面ＢＤＰを含む。
【００４９】
一方、図１で携帯用端末機ＭＤは例示的にスマートフォンとして図示したが、実施形態がこれに限定されない。例えば、携帯用端末機ＭＤはタブレットＰＣ、ナビゲーション、ゲーム機、ＰＭＰ（Ｐｏｒｔａｂｌｅ  Ｍｅｄｉａ  Ｐｌａｙｅｒ）等であり、実施形態がこれに限定されない。
【００５０】
図２及び図３は一実施形態の携帯用端末機カバーの斜視図である。図２は携帯用端末機カバーを上から下に見た方向の斜視図であり、図３は携帯用端末機カバーを下から上に見た方向の斜視図である。即ち、図２は第４方向軸ＤＲ４方向に見た斜視図であり、図３は第３方向軸ＤＲ３方向に見た斜視図である。
【００５１】
一実施形態の携帯用端末機カバーＰＣ−１は複数の側面部ＳＰ１、ＳＰ２、ＳＰ３、ＳＰ４、及び複数の側面部ＳＰ１、ＳＰ２、ＳＰ３、ＳＰ４の中の少なくとも１つの側面部と連結された前面部ＦＰを含む。複数の側面部ＳＰ１、ＳＰ２、ＳＰ３、ＳＰ４は上述した携帯用端末機の側面表示部ＳＤＰ１、ＳＤＰ２、ＳＤＰ３、ＳＤＰ４をカバーする部分である。前面部ＦＰは上述した携帯用端末機の上部面表示部ＴＤＰをカバーする。
【００５２】
複数の側面部ＳＰ１、ＳＰ２、ＳＰ３、ＳＰ４は透明である。一実施形態の携帯用端末機カバーＰＣ−１で側面部ＳＰ１、ＳＰ２、ＳＰ３、ＳＰ４は側面表示部ＳＤＰ１、ＳＤＰ２、ＳＤＰ３、ＳＤＰ４で提供されるイメージを使用者が認識できる程度に透明なものである。複数の側面部ＳＰ１、ＳＰ２、ＳＰ３、ＳＰ４は側面表示部ＳＤＰ１、ＳＤＰ２、ＳＤＰ３、ＳＤＰ４で提供されるイメージを透過させる透明部材で形成されたものである。
【００５３】
本明細書で‘‘透明’’であることは携帯用端末機カバーが覆われた状態で携帯用端末機に提供されるイメージを確認できる程度を意味する。例えば、透過度５０％以上、具体的に透過度７０％以上である。
【００５４】
例えば、透明部材はガラス、高分子物質、又はゴム等を含む。具体的に、透明な側面部ＳＰ１、ＳＰ２、ＳＰ３、ＳＰ４は強化ガラス、又はポリカーボネート（ｐｏｌｙｃａｒｂｏｎａｔｅ）、ポリメチルメタクリラート（ｐｏｌｙｍｅｔｈｙｌｍｅｔｈａｃｒｙｌａｔｅ）、ポリエチレンテレフタレート（ｐｏｌｙｅｔｈｙｌｅｎｅｔｈｒｅｐｈｔｈａｌｔｅ）等を含む高分子物質、又はシリコンラバー（ｓｉｌｉｃｏｎｅ  ｒｕｂｂｅｒ）等のゴム材質等を含んで形成される。しかし、実施形態がこれに限定されることはなく、透明性を有する多様な高分子物質又はゴム物質等が一実施形態の携帯用端末機カバーＰＣ−１の側面部を形成するための材料として使用される。
【００５５】
また、側面部ＳＰ１、ＳＰ２、ＳＰ３、ＳＰ４は側面表示部ＳＤＰ１、ＳＤＰ２、ＳＤＰ３、ＳＤＰ４を保護する保護部材である。側面部ＳＰ１、ＳＰ２、ＳＰ３、ＳＰ４は側面表示部ＳＤＰ１、ＳＤＰ２、ＳＤＰ３、ＳＤＰ４を囲むように形成されて携帯用端末機を使用する間に側面表示部ＳＤＰ１、ＳＤＰ２、ＳＤＰ３、ＳＤＰ４が外部に露出されることを防止して外部衝撃等から側面表示部ＳＤＰ１、ＳＤＰ２、ＳＤＰ３、ＳＤＰ４を保護する。
【００５６】
また、側面部ＳＰ１、ＳＰ２、ＳＰ３、ＳＰ４が側面表示部ＳＤＰ１、ＳＤＰ２、ＳＤＰ３、ＳＤＰ４をカバーした状態でも使用者が側面表示部ＳＤＰ１、ＳＤＰ２、ＳＤＰ３、ＳＤＰ４にタッチ入力を提供する。側面表示部ＳＤＰ１、ＳＤＰ２、ＳＤＰ３、ＳＤＰ４を通じて提供される情報とイメージは側面部ＳＰ１、ＳＰ２、ＳＰ３、ＳＰ４を通じて使用者に提供され、使用者は側面部ＳＰ１、ＳＰ２、ＳＰ３、ＳＰ４を通じて側面表示部ＳＤＰ１、ＳＤＰ２、ＳＤＰ３、ＳＤＰ４を間接タッチして携帯用端末機ＭＤで提供される情報とイメージを確認する。
【００５７】
図２及び図３に図示した一実施形態で携帯用端末機カバーＰＣ−１は４つの側面部ＳＰ１、ＳＰ２、ＳＰ３、ＳＰ４を含み、４つの側面部ＳＰ１、ＳＰ２、ＳＰ３、ＳＰ４の各々は前面部ＦＰと連結される。４つの側面部ＳＰ１、ＳＰ２、ＳＰ３、ＳＰ４の各々は前面部ＦＰの側面に連結される。また、一実施形態の携帯用端末機カバーＰＣ−１は、４つの側面部ＳＰ１、ＳＰ２、ＳＰ３、ＳＰ４と前面部ＦＰとが一体形状をなす。
【００５８】
一実施形態の携帯用端末機カバーＰＣ−１は前面部ＦＰと側面部ＳＰ１、ＳＰ２、ＳＰ３、ＳＰ４とが一体形状をなし、透明である。例えば、前面部ＦＰと側面部ＳＰ１、ＳＰ２、ＳＰ３、ＳＰ４とは透明な材質で一体に形成される。
【００５９】
一方、図２及び図３を参照すれば、一実施形態の携帯用端末機カバーＰＣ−１は隣接する側面部ＳＰ１、ＳＰ２、ＳＰ３、ＳＰ４の間に配置された連結部が省略されたものである。即ち、一実施形態の携帯用端末機カバーＰＣ−１は携帯用端末機ＭＤのコーナー部ＣＤＰが外部に露出されるように隣接する側面部ＳＰ１、ＳＰ２、ＳＰ３、ＳＰ４の間が離隔されて提供される。
【００６０】
一実施形態の携帯用端末機カバーＰＣ−１は４つの側面部ＳＰ１、ＳＰ２、ＳＰ３、ＳＰ４及び前面部ＦＰによって定義された挿入空間ＯＳ１を提供する。挿入空間ＯＳ１は４つの側面部ＳＰ１、ＳＰ２、ＳＰ３、ＳＰ４及び前面部ＦＰに囲まれた空間である。挿入空間ＯＳ１は携帯用端末機ＭＤが安着される部分として一実施形態の携帯用端末機カバーＰＣ−１の挿入空間ＯＳ１に携帯用端末機ＭＤが挿入され、この時、携帯用端末機ＭＤの下部面ＢＤＰは携帯用端末機カバーＰＣ−１にカバーされなく、露出される。即ち、一実施形態の携帯用端末機カバーＰＣ−１は携帯用端末機ＭＤの下部面ＢＤＰが露出されるように前面部ＦＰと対向する面が開放される。
【００６１】
図４は一実施形態の携帯用端末機カバーＰＣ−１を携帯用端末機ＭＤに提供する段階を示す。図２及び図３に図示した一実施形態の携帯用端末機カバーＰＣ−１は携帯用端末機ＭＤの上部面表示部ＴＤＰと側面表示部ＳＤＰ１、ＳＤＰ２、ＳＤＰ３、ＳＤＰ４とをカバーするように提供される。
【００６２】
図５は一実施形態の携帯用端末機カバーＰＣ−１が携帯用端末機ＭＤをカバーして提供された一実施形態の電子装置ＤＤを示した斜視図である。図５を参照すれば、透明な材質の携帯用端末機カバーＰＣ−１によって携帯用端末機ＭＤで提供されたイメージ又は映像を携帯用端末機カバーＰＣ−１が含まれた状態の電子装置ＤＤで直接確認できる。即ち、一実施形態の携帯用端末機カバーＰＣ−１は前面部ＦＰのみならず、側面部ＳＰ１、ＳＰ２、ＳＰ３、ＳＰ４も透明な材質で形成されて携帯用端末機ＭＤを外部衝撃から保護すると同時にカバーをオープンにしなくとも側面表示部ＳＤＰ１、ＳＤＰ２、ＳＤＰ３、ＳＤＰ４で提供されるイメージを確認できる。
【００６３】
図６及び図７は各々図５のＩ−Ｉ’線及びＩＩ−ＩＩ’線に対応する部分の断面図である。図６及び図７は携帯用端末機ＭＤと携帯用端末機カバーＰＣ−１とを含む電子装置ＤＤの一実施形態を示す。
【００６４】
図６を参照すれば、第１方向軸ＤＲ１と第３方向軸ＤＲ３とが定義する断面上で一実施形態の携帯用端末機カバーＰＣ−１は前面部ＦＰと側面部ＳＰ１、ＳＰ２を含んで携帯用端末機ＭＤの上部面表示部ＴＤＰと側面表示部ＳＤＰ１、ＳＤＰ２をカバーして保護する。この時、前面部ＦＰと側面部ＳＰ１、ＳＰ２は一体に提供され、携帯用端末機カバーＰＣ−１は前面部ＦＰと対向する背面がオープンにされた形態で携帯用端末機ＭＤの下部面ＢＤＰが露出される。
【００６５】
一方、図７は図５のＩＩ−ＩＩ’線に対応する部分の断面を示したものであり、携帯用端末機ＭＤのコーナー部ＣＤＰは携帯用端末機カバーＰＣ−１にカバーされず、露出される。
【００６６】
図８は携帯用端末機カバーの他の実施形態を示した斜視図である。図９は図８に図示した一実施形態の携帯用端末機カバーＰＣ−１ａを含んだ電子装置ＤＤ−１の一実施形態を示した斜視図である。図１０は図９のＩＩＩ−ＩＩＩ’線に対応する部分を示した断面図である。図８乃至図１０に対する説明において、上述した図１乃至図７と重複される内容は再び説明せずに、差異点を主に説明する。
【００６７】
図８に図示した一実施形態の携帯用端末機カバーＰＣ−１ａは図２及び図３に図示した一実施形態の携帯用端末機カバーＰＣ−１と比較して連結部ＥＰをさらに含む。即ち、一実施形態の携帯用端末機カバーＰＣ−１ａは４つの側面部ＳＰ１、ＳＰ２、ＳＰ３、ＳＰ４、前面部ＦＰ、及び４つの連結部ＥＰを含む。一方、一実施形態の携帯用端末機カバーＰＣ−１ａにおいて、４つの側面部ＳＰ１、ＳＰ２、ＳＰ３、ＳＰ４及び前面部ＦＰに対する説明は図２及び図３で説明した一実施形態の携帯用端末機カバーＰＣ−１と同一の内容が適用される。
【００６８】
例えば、一実施形態の携帯用端末機カバーＰＣ−１ａは透明な４つの側面部ＳＰ１、ＳＰ２、ＳＰ３、ＳＰ４及び４つの側面部ＳＰ１、ＳＰ２、ＳＰ３、ＳＰ４と連結された前面部ＦＰを含む。前面部ＦＰは透明である。
【００６９】
連結部ＥＰは各々隣接する側面部ＳＰ１、ＳＰ２、ＳＰ３、ＳＰ４の間に配置される。一実施形態の携帯用端末機カバーＰＣ−１ａで側面部ＳＰ１、ＳＰ２、ＳＰ３、ＳＰ４、前面部ＦＰ、及び連結部ＥＰは一体形状をなす。
【００７０】
図９及び図１０に図示した一実施形態の電子装置ＤＤ−１を参照すれば、連結部ＥＰは携帯用端末機ＭＤのコーナー部ＣＤＰをカバーする部分である。連結部ＥＰは透明な材質で形成される。また、これと異なり、一実施形態で連結部ＥＰは不透明である材質で形成されてもよい。
【００７１】
例えば、一実施形態の携帯用端末機カバーＰＣ−１ａで連結部ＥＰは側面部ＳＰ１、ＳＰ２、ＳＰ３、ＳＰ４と同一の透明な材質で形成される。また、これと異なり、連結部ＥＰは透明な材質であるが、側面部ＳＰ１、ＳＰ２、ＳＰ３、ＳＰ４と異なる物質で形成される。具体的に連結部ＥＰは側面部ＳＰ１、ＳＰ２、ＳＰ３、ＳＰ４に比べて高弾性材料を含んで形成される。
【００７２】
一方、一実施形態の携帯用端末機カバーＰＣ−１ａで連結部ＥＰは不透明である材質で形成される。例えば、連結部ＥＰは携帯用端末機ＭＤのコーナー部ＣＤＰを保護するために耐衝撃性が高い弾性材質で形成され、非表示領域に該当する携帯用端末機ＭＤのコーナー部ＣＤＰの露出を防止する。
【００７３】
図示しなかったが、一実施形態の携帯用端末機カバーＰＣ−１ａで連結部ＥＰは各々発光素子（未図示）を含む。発光素子（未図示）は単一色の光を放出する。例えば、発光素子（未図示）は携帯用端末機ＭＤで提供されるイメージの一体感のために隣接する側面表示部ＳＤＰ１、ＳＤＰ２、ＳＤＰ３、ＳＤＰ４で提供されるイメージと類似な色感の色を放出する。しかし、実施形態はこれに限定されず、複数の連結部ＥＰは互いに異なる色の光を放出するか、又は１つの連結部が多数の色の光を放出する。
【００７４】
発光素子（図示せず）で放出される光は携帯用端末機ＭＤによって制御される。また、一実施形態の電子装置ＤＤ−１で発光素子（未図示）は携帯用端末機ＭＤと電気的に連結される。
【００７５】
また、発光素子（未図示）はイメージを提供する表示部機能を果たす。発光素子（未図示）は側面表示部ＳＤＰ１、ＳＤＰ２、ＳＤＰ３、ＳＤＰ４で提供されるイメージとの一体感のために側面表示部ＳＤＰ１、ＳＤＰ２、ＳＤＰ３、ＳＤＰ４で提供されるイメージと連結されたイメージを提供する。連結部ＥＰで提供されるイメージは携帯用端末機ＭＤにより提供される。
【００７６】
一方、一実施形態の電子装置ＤＤ−１で発光素子（未図示）は携帯用端末機ＭＤと電気的に連結され、携帯用端末機ＭＤによって制御される制御部をさらに含む。
【００７７】
一方、図９に図示した一実施形態の電子装置ＤＤ−１は携帯用端末機カバーが提供された状態で携帯用端末機を動作させることを例示的に示した。即ち、一実施形態の電子装置ＤＤ−１は一実施形態の携帯用端末機カバーＰＣ−１ａに覆われた状態でもタッチ入力を通じて携帯用端末機ＭＤを制御する。
【００７８】
図１１乃至図１３は一実施形態の携帯用端末機カバーＰＣ−２、ＰＣ−２ａの斜視図である。図１４は図１１及び図１２に図示した一実施形態の携帯用端末機カバーＰＣ−２を提供する段階を概略的に示した。図１５は図１１及び図１２に図示した一実施形態の携帯用端末機カバーＰＣ−２を含んだ一実施形態の電子装置ＤＤ−２の斜視図であり、図１６は図１５のＩＶ−ＩＶ’線に対応した部分の断面図である。
【００７９】
図１１乃至図１３に図示した一実施形態の携帯用端末機カバーＰＣ−２、ＰＣ−２ａは透明な複数の側面部ＳＰ１、ＳＰ２、ＳＰ３、ＳＰ４、側面部ＳＰ１、ＳＰ２、ＳＰ３、ＳＰ４の中の少なくとも１つの側面部と連結された前面部ＦＰ、前面部ＦＰと対向する背面部ＲＰ、前面部ＦＰの一側面に連結された蓋部ＣＰ、ＣＰ−１を含む。
【００８０】
図１１及び図１２を参照すれば、一実施形態の携帯用端末機カバーＰＣ−２は透明な第１乃至第３の側面部ＳＰ１、ＳＰ２、ＳＰ３、第１乃至第３の側面部ＳＰ１、ＳＰ２、ＳＰ３と連結された前面部ＦＰ、前面部ＦＰと対向し、第１乃至第３の側面部ＳＰ１、ＳＰ２、ＳＰ３と連結された背面部ＲＰ、及び前面部ＦＰの一側に連結された蓋部ＣＰを含む。
【００８１】
一方、図１３では第２乃至第４の側面部ＳＰ２、ＳＰ３、ＳＰ４、第２乃至第４の側面部ＳＰ２、ＳＰ３、ＳＰ４と連結された前面部ＦＰ、前面部ＦＰと対向し、第２乃至第４の側面部ＳＰ２、ＳＰ３、ＳＰ４と連結された背面部ＲＰ、及び前面部ＦＰの一側に連結された蓋部ＣＰ−１を含む一実施形態の携帯用端末機カバーＰＣ−２ａを図示している。
【００８２】
図１３に図示した一実施形態の携帯用端末機カバーＰＣ−２ａは図１１及び図１２に図示したのと比較して蓋部ＣＰ−１の連結位置が異なる。図１１及び図１２に図示した一実施形態の携帯用端末機カバーＰＣ−２は平面上で長方形状を有する携帯用端末機ＭＤの短辺に対応する部分に蓋部ＣＰを有し、図１３に図示した一実施形態の携帯用端末機カバーＰＣ−２ａは平面上で長方形状を有する携帯用端末機ＭＤの長辺に対応する部分に蓋部ＣＰ−１を有する。
【００８３】
図１１乃至図１３に図示した一実施形態の携帯用端末機カバーＰＣ−２、ＰＣ−２ａは前面部ＦＰの一側に連結された蓋部ＣＰ、ＣＰ−１を含み、第１モードで蓋部ＣＰ、ＣＰ−１は携帯用端末機が挿入される挿入空間ＯＳ２をカバーし、第２モードで挿入空間ＯＳ２が露出されるようにオープンされる。
【００８４】
図１４は一実施形態の携帯用端末機カバーＰＣ−２を携帯用端末機ＭＤに提供する段階を概略的に示した。図１１乃至図１４を参照すれば、携帯用端末機ＭＤはオープンされた蓋部ＣＰによって露出された挿入空間ＯＳ２に提供される。
【００８５】
図１４及び図１５に図示した一実施形態の電子装置ＤＤ−２を参照して説明すれば、一実施形態の携帯用端末機カバーＰＣ−２の蓋部ＣＰは第１モードで携帯用端末機ＭＤの一側面をカバーし、第２モードで携帯用端末機ＭＤの一側面を露出させる。
【００８６】
図１１、図１２、図１４、及び図１５を参照すれば、一実施形態の携帯用端末機カバーＰＣ−２で蓋部ＣＰは携帯用端末機ＭＤの側面表示部の中で第４側面表示部ＳＤＰ４をカバーする。例えば、一実施形態の携帯用端末機カバーＰＣ−２の挿入空間ＯＳ２に携帯用端末機ＭＤが提供され、携帯用端末機ＭＤの第１乃至第３側面表示部ＳＤＰ１、ＳＤＰ２、ＳＤＰ３は各々携帯用端末機カバーＰＣ−２の第１乃至第３側面部ＳＰ１、ＳＰ２、ＳＰ３によってカバーされる。一方、蓋部ＣＰは第１モードで携帯用端末機ＭＤの第４側面表示部ＳＤＰ４をカバーし、第２モードで第４側面表示部ＳＤＰ４を露出させる。
【００８７】
一方、図１１及び図１２を参照すれば、携帯用端末機ＭＤが挿入される挿入空間ＯＳ２は前面部ＦＰ、背面部ＲＰ、及び３つの側面部ＳＰ１、ＳＰ２、ＳＰ３によって定義される。即ち、挿入空間ＯＳ２は前面部ＦＰ、前面部ＦＰと対向する背面部ＲＰ、及び前面部ＦＰと背面部ＲＰとの間に配置され、前面部ＦＰ及び背面部ＲＰの３つの側面と各々連結された３つの側面部ＳＰ１、ＳＰ２、ＳＰ３とによって囲まれた空間である。
【００８８】
前面部ＦＰ、前面部ＦＰと対向する背面部ＲＰ、及び前面部ＦＰと背面部ＲＰとの間に配置される３つの側面部ＳＰ１、ＳＰ２、ＳＰ３は一体の形状をなす。３つの側面部ＳＰ１、ＳＰ２、ＳＰ３の各々は前面部ＦＰの３つの側面で各々延長されて形成され、前面部ＦＰと対向する背面部ＲＰの対応する３つの側面と連結される。
【００８９】
また、前面部ＦＰの一側面に連結された蓋部ＣＰは前面部ＦＰ、前面部ＦＰと対向する背面部ＲＰ、及び前面部ＦＰと背面部ＲＰとの間に配置される３つの側面部ＳＰ１、ＳＰ２、ＳＰ３と一体の形状をなす。
【００９０】
前面部ＦＰ、及び前面部ＦＰから延長された３つの側面部ＳＰ１、ＳＰ２、ＳＰ３は透明な材質で形成される。前面部ＦＰ、前面部ＦＰから延長された３つの側面部ＳＰ１、ＳＰ２、ＳＰ３、及び蓋部ＣＰは透明な材質で形成される。一方、背面部ＲＰは透明な材質で形成されるか、又は不透明である材質で形成される。
【００９１】
前面部ＦＰ、背面部ＲＰ、３つの側面部ＳＰ１、ＳＰ２、ＳＰ３、及び蓋部ＣＰは同一な透明材質で形成される。また、これと異なり、前面部ＦＰ及び３つの側面部ＳＰ１、ＳＰ２、ＳＰ３は背面部ＲＰより高い透過度を有する物質で形成される。一方、背面部ＲＰは不透明である材質で形成される。
【００９２】
一方、図１３で挿入空間は前面部ＦＰ、背面部ＲＰ、及び第２乃至第４側面部ＳＰ２、ＳＰ３、ＳＰ４によって囲まれた空間である。図１３の携帯用端末機カバーＰＣ−２ａに対しては蓋部ＣＰ−１の位置が異なることを除けば、図１１及び図１２の携帯用端末機カバーＰＣ−２に対する説明と同一の内容が適用される。図１３に図示した一実施形態の携帯用端末機カバーＰＣ−２ａで第２乃至第４側面部ＳＰ２、ＳＰ３、ＳＰ４は各々携帯用端末機ＭＤの第２乃至第４側面表示部ＳＤＰ２、ＳＤＰ３、ＳＤＰ４をカバーする。蓋部ＣＰ−１は第１モードで第１側面表示部ＳＤＰ１をカバーし、第２モードで第１側面表示部ＳＤＰ１を露出させる。
【００９３】
図１５に図示した一実施形態の電子装置ＤＤ−２で携帯用端末機カバーＰＣ−２は透明な材質で形成され、携帯用端末機ＭＤを保護しつつ、同時に携帯用端末機ＭＤで提供されるイメージを側面部ＳＰ１、ＳＰ２、ＳＰ３及び前面部ＦＰを通じて提供する。
【００９４】
一実施形態の電子装置ＤＤ−２で携帯用端末機ＭＤは携帯用端末機カバーＰＣ−２上に提供される使用者の間接タッチに反応して動作する。
【００９５】
図１６を参照すれば、携帯用端末機カバーＰＣ−２は携帯用端末機ＭＤの全体をカバーする。携帯用端末機カバーＰＣ−２は携帯用端末機ＭＤの上部面表示部ＴＤＰ、側面表示部ＳＤＰ１、ＳＤＰ２、及び下部面ＢＤＰをカバーする。
【００９６】
図１７乃至図１９は一実施形態の携帯用端末機カバーの斜視図である。図２０及び図２１は各々図１７及び図１９の携帯用端末機カバーの断面を示した図面である。図２０は図１７のＶ−Ｖ’線に対応する部分の断面図であり、図２１は図１９のＶＩ−ＶＩ’線に対応する部分の断面図である。
【００９７】
図１７乃至図２１に図示した一実施形態の携帯用端末機カバーＰＣ−３、ＰＣ−３ａ、ＰＣ−３ｂに対する説明において、上述した図１乃至図１６と重複する内容は再び説明せずに、差異点を主に説明する。例えば、一実施形態の携帯用端末機カバーＰＣ−３、ＰＣ−３ａ、ＰＣ−３ｂで前面部ＦＰ、及び側面部ＳＰ１、ＳＰ２、ＳＰ３、ＳＰ４に対しては図１乃至図７で説明した内容と同一の内容が適用される。
【００９８】
図１７乃至図１９に図示した一実施形態の携帯用端末機カバーＰＣ−３、ＰＣ−３ａ、ＰＣ−３ｂは、透明な複数の側面部ＳＰ１、ＳＰ２、ＳＰ３、ＳＰ４、前面部ＦＰ、及び背面部ＲＰを含む。
【００９９】
図１７に図示した一実施形態の携帯用端末機カバーＰＣ−３は第１乃至第４側面部ＳＰ１、ＳＰ２、ＳＰ３、ＳＰ４を含む。また、第１乃至第４の側面部ＳＰ１、ＳＰ２、ＳＰ３、ＳＰ４の中のいずれか１つの側面部は前面部ＦＰの一側面から延長される。背面部ＲＰは上部面表示部ＴＤＰ（図１）をカバーするように配置された前面部ＦＰと対向する。図１７に図示した一実施形態の携帯用端末機カバーＰＣ−３を参照すれば、前面部ＦＰは複数の側面部ＳＰ１、ＳＰ２、ＳＰ３、ＳＰ４の中の第２側面部ＳＰ２と連結される。
【０１００】
複数の側面部ＳＰ１、ＳＰ２、ＳＰ３、ＳＰ４は各々背面部ＲＰの一側に連結される。図１７に図示した一実施形態の携帯用端末機カバーＰＣ−３で第１乃至第４の側面部ＳＰ１、ＳＰ２、ＳＰ３、ＳＰ４は各々背面部ＲＰの４つの側面から延長されて形成される。第１乃至第４の側面部ＳＰ１、ＳＰ２、ＳＰ３、ＳＰ４と背面部ＲＰとは一体の形状をなす。第１乃至第４の側面部ＳＰ１、ＳＰ２、ＳＰ３、ＳＰ４は各々背面部ＲＰの一側から屈曲されて形成される。第１乃至第４の側面部ＳＰ１、ＳＰ２、ＳＰ３、ＳＰ４は各々背面部ＲＰから第３方向ＤＲ３に屈曲されて形成される。即ち、第１乃至第４の側面部ＳＰ１、ＳＰ２、ＳＰ３、ＳＰ４は各々上部面表示部ＴＤＰ（図１）をカバーする前面部ＦＰ方向に屈曲される。第１乃至第４の側面部ＳＰ１、ＳＰ２、ＳＰ３、ＳＰ４は第３方向軸ＤＲ３方向に屈曲された曲面部を含む。
【０１０１】
図２０は図１７のＶ−Ｖ’線に対応する面を示した断面図であって、図２０を参照すれば、側面部ＳＰ１、ＳＰ２は背面部ＲＰから第３方向軸ＤＲ３方向に屈曲される。即ち、図１７及び図２０に図示した一実施形態で第２側面部ＳＰ２は前面部ＦＰがオープンにされた状態でも第３方向軸ＤＲ３方向に屈曲された状態を維持する。
【０１０２】
一方、図２０は第１方向軸ＤＲ１と第３方向軸ＤＲ３とが定義する平面と平行である平面での一実施形態の携帯用端末機カバーＰＣ−３ａの断面を示したものであり、図面に図示しなかったが第２方向軸ＤＲ２と第３方向軸ＤＲ３とが定義する平面と平行である平面での一実施形態の携帯用端末機カバーＰＣ−３の断面でも側面部ＳＰ３、ＳＰ４は第３方向軸ＤＲ３方向に屈曲される。
【０１０３】
図１７の一実施形態の携帯用端末機カバーＰＣ−３は第１乃至第４の側面部ＳＰ１、ＳＰ２、ＳＰ３、ＳＰ４と背面部ＲＰとによって定義された挿入空間ＯＳ３を提供する。挿入空間ＯＳ３は第１乃至第４の側面部ＳＰ１、ＳＰ２、ＳＰ３、ＳＰ４と背面部ＲＰとによって囲まれた部分である。挿入空間ＯＳ３に携帯用端末機ＭＤ（図１）が安着される。携帯用端末機ＭＤ（図１）の下部面ＢＤＰ（図１）が背面部ＲＰと接するように携帯用端末機カバーＰＣ−３が提供される。携帯用端末機カバーＰＣ−３の第１乃至第４の側面部ＳＰ１、ＳＰ２、ＳＰ３、ＳＰ４は各々携帯用端末機ＭＤの第１乃至第４側面表示部ＳＤＰ１、ＳＤＰ２、ＳＤＰ３、ＳＤＰ４（図１）をカバーする。
【０１０４】
第１乃至第４側面表示部ＳＤＰ１、ＳＤＰ２、ＳＤＰ３、ＳＤＰ４（図１）をカバーする第１乃至第４の側面部ＳＰ１、ＳＰ２、ＳＰ３、ＳＰ４は透明な材質で形成される。一方、一実施形態の携帯用端末機カバーＰＣ−３で背面部ＲＰは第１乃至第４の側面部ＳＰ１、ＳＰ２、ＳＰ３、ＳＰ４と同一の材質で形成される。即ち、背面部ＲＰは透明である。しかし、実施形態はこれに限定されず、背面部ＲＰは第１乃至第４の側面部ＳＰ１、ＳＰ２、ＳＰ３、ＳＰ４とは異なり不透明であってもよい。
【０１０５】
一方、図面に図示しなかったが、一実施形態の携帯用端末機カバーＰＣ−３の背面部ＲＰは携帯用端末機ＭＤ（図１）の下部面ＢＤＰ（図１）になる。例えば、携帯用端末機ＭＤ（図１）の下部面ＢＤＰ（図１）が脱着可能である場合、携帯用端末機ＭＤ（図１）の下部面ＢＤＰ（図１）の代わりに携帯用端末機カバーＰＣ−３の背面部ＲＰが使用できる。
【０１０６】
例えば、携帯用端末機カバーＰＣ−３の背面部ＲＰが携帯用端末機ＭＤ（図１）の下部面ＢＤＰ（図１）の代わりに使用される場合、携帯用端末機カバーＰＣ−３の背面部ＲＰは携帯用端末機ＭＤ（図１）と結合される締結部（図示せず）をさらに含む。
【０１０７】
一実施形態の携帯用端末機カバーＰＣ−３で隣接する複数の側面部ＳＰ１、ＳＰ２、ＳＰ３、ＳＰ４は互いに離隔される。即ち、携帯用端末機ＭＤ（図１）のコーナー部ＣＤＰ（図１）に対応する部分で携帯用端末機カバーＰＣ−３の連結部が省略される。
【０１０８】
一実施形態の携帯用端末機カバーＰＣ−３の前面部ＦＰは透明である。一実施形態で前面部ＦＰは複数の側面部ＳＰ１、ＳＰ２、ＳＰ３、ＳＰ４の中の１つの側面部に連結される。図１７で前面部ＦＰは第２側面部ＳＰ２に連結されたとして図示したが、実施形態がこれに限定されない。前面部は第１側面部ＳＰ１、第３側面部ＳＰ３、又は第４側面部ＳＰ４と連結されてもよい。
【０１０９】
一実施形態の携帯用端末機カバーＰＣ−３で、複数の側面部ＳＰ１、ＳＰ２、ＳＰ３、ＳＰ４、背面部ＲＰ、及び前面部ＦＰは一体に提供される。
【０１１０】
一方、一実施形態で前面部ＦＰは不透明であってもよい。一実施形態の携帯用端末機カバーＰＣ−３で複数の側面部ＳＰ１、ＳＰ２、ＳＰ３、ＳＰ４は透明であり、背面部ＲＰ、及び前面部ＦＰは不透明であってもよい。また、複数の側面部ＳＰ１、ＳＰ２、ＳＰ３、ＳＰ４と前面部ＦＰは透明であり、背面部ＲＰは不透明であってもよい。
【０１１１】
図１８は携帯用端末機カバーＰＣ−３ａの他の実施形態を示した斜視図である。図１８に図示した一実施形態の携帯用端末機カバーＰＣ−３ａは図１７に図示した一実施形態の携帯用端末機カバーＰＣ−３と異なり、連結部ＥＰをさらに含む。即ち、一実施形態の携帯用端末機カバーＰＣ−３ａは複数の側面部ＳＰ１、ＳＰ２、ＳＰ３、ＳＰ４の中で隣接する側面部ＳＰ１、ＳＰ２、ＳＰ３、ＳＰ４の間に配置された連結部ＥＰをさらに含む。連結部ＥＰは携帯用端末機ＭＤ（図１）のコーナー部ＣＤＰ（図１）をカバーする部分である。
【０１１２】
連結部ＥＰは隣接する側面部ＳＰ１、ＳＰ２、ＳＰ３、ＳＰ４の間に配置され、背面部ＲＰから第３方向軸ＤＲ３方向に屈曲されて形成される。複数の側面部ＳＰ１、ＳＰ２、ＳＰ３、ＳＰ４、背面部ＲＰ、及び連結部ＥＰは一体の形状をなす。一方、前面部ＦＰは複数の側面部ＳＰ１、ＳＰ２、ＳＰ３、ＳＰ４の中の１つの側面部に連結され、これと隣接する連結部ＥＰの一部とも連結される。
【０１１３】
図１８では前面部ＦＰが第２側面部ＳＰ２及び第２側面部ＳＰ２と連結された連結部ＥＰの中の一部と連結された実施形態を図示しているが、実施形態がこれに限定されない。
【０１１４】
図１８に図示した一実施形態の携帯用端末機カバーＰＣ−３ａは第１乃至第４の側面部ＳＰ１、ＳＰ２、ＳＰ３、ＳＰ４、第１乃至第４の側面部ＳＰ１、ＳＰ２、ＳＰ３、ＳＰ４と連結された背面部ＲＰ、及び側面部ＳＰ１、ＳＰ２、ＳＰ３、ＳＰ４の間に配置された連結部ＥＰによって定義される挿入空間ＯＳ４を提供する。挿入空間ＯＳ４には携帯用端末機ＭＤ（図１）が安着される。
【０１１５】
一実施形態の携帯用端末機カバーＰＣ−３ａで複数の側面部ＳＰ１、ＳＰ２、ＳＰ３、ＳＰ４は透明であり、隣接する側面部ＳＰ１、ＳＰ２、ＳＰ３、ＳＰ４の間に配置された連結部ＥＰは不透明である。不透明である連結部ＥＰは透明な複数の側面部ＳＰ１、ＳＰ２、ＳＰ３、ＳＰ４と異なる材質で形成される。一方、背面部ＲＰは不透明であり、不透明である背面部ＲＰ及び不透明である連結部ＥＰは同一の材質で形成される。また、不透明である背面部ＲＰ及び不透明である連結部ＥＰは互いに異なる材質で形成され、連結部ＥＰは背面部ＲＰより弾性力が大きい材質で形成される。
【０１１６】
図１８に図示した一実施形態の携帯用端末機カバーＰＣ−３ａで前面部ＦＰは補助表示窓ＷＰを含む。補助表示窓ＷＰは前面部ＦＰの一部分を貫通するように形成される。例えば、前面部ＦＰは不透明であり、前面部に形成された補助表示窓ＷＰは安着された携帯用端末機ＭＤ（図１）の上部面表示部ＴＤＰ（図１）の一部が露出されるようにオープンにされる。
【０１１７】
また、これと異なり、補助表示窓ＷＰは透明な材質で形成される。即ち、補助表示窓ＷＰは不透明である前面部ＦＰの一部分に配置され、透明な材質で形成された部分である。一方、図１８で補助表示窓ＷＰは長方形状に示したが、これは一実施形態を例示的に示したものであって、補助表示窓ＷＰの形状が図示した形状に限定されない。補助表示窓ＷＰは円型、楕円形、又は多角形状であってもよく、補助表示窓ＷＰは図示したより広い面積で形成されて、前面部ＦＰがカバーされた状態でも上部面表示部ＴＤＰ（図１）１）で提供されるイメージをより広い面積に使用者に提供できる。
【０１１８】
図１９に図示した一実施形態の携帯用端末機カバーＰＣ−３ｂは第１乃至第４の側面部ＳＰ１、ＳＰ２、ＳＰ３、ＳＰ４、第１乃至第４の側面部ＳＰ１、ＳＰ２−ｂ、ＳＰ３、ＳＰ４と連結された背面部ＲＰ、及び側面部ＳＰ１、ＳＰ２−ｂ、ＳＰ３、ＳＰ４の中のいずれか１つの側面部と連結された前面部ＦＰを含む。一方、図１９に図示した一実施形態の携帯用端末機カバーＰＣ−３ｂは側面部ＳＰ１、ＳＰ２−ｂ、ＳＰ３、ＳＰ４の中の隣接する側面部の間に配置された連結部ＥＰを含むことを示し、一実施形態で連結部ＥＰは省略される。
【０１１９】
図１９で、前面部ＦＰは第２側面部ＳＰ２−ｂと連結される。第２側面部ＳＰ２−ｂの一側は背面部ＲＰと連結され、他側は前面部ＦＰと連結される。一方、図１９に図示した一実施形態の携帯用端末機カバーＰＣ−３ｂで、第１側面部ＳＰ１、及び第３、第４側面部ＳＰ３、ＳＰ４は背面部ＲＰから延長されて第３方向ＤＲ３に屈曲される。但し、第２側面部ＳＰ２は第３方向ＤＲ３に屈曲されて固定されず、背面部ＲＰと連結される部分で屈曲面が無しで一体に提供される。即ち、前面部ＦＰは第２側面部ＳＰ２−ｂの他側と全体的に連結され、但し、第２側面部ＳＰ２−ｂと隣接する連結部ＥＰとは連結されない。
【０１２０】
図２１は図１９のＶＩ−ＶＩ’線に対応する面を示した断面図である。図２１に図示した一実施形態の携帯用端末機カバーＰＣ−３ｂは図２０に図示した一実施形態の携帯用端末機カバーＰＣ−３と比較して第２側面部ＳＰ２−ｂが第３方向軸ＤＲ３方向に屈曲されて固定されてなく、前面部ＦＰが広がる方向に共に広がることにおいて差異がある。
【０１２１】
図１９及び図２１に図示した一実施形態の携帯用端末機カバーＰＣ−３ｂは第２側面部ＳＰ２−ｂが前面部ＦＰと共に広がる構成を有することによって、前面部ＦＰの開閉をより容易にする。
【０１２２】
一方、図１７及び図２０に図示した一実施形態の携帯用端末機カバーＰＣ−３ａは前面部ＦＰがオープンにされた状態でも第２側面部ＳＰ２が第３方向軸ＤＲ３方向に屈曲されて固定されているので、前面部ＦＰをオープンにした状態でも携帯用端末機ＭＤ（図１）の第２側面表示部ＳＤＰ２を保護できる。
【０１２３】
図２２及び図２３は図１９及び図２１で図示した一実施形態の携帯用端末機カバーＰＣ−２ｂを含んだ電子装置ＤＤ−３の一実施形態を示した。図２２及び図２３を参照すれば、一実施形態の表示装置ＤＤ−３は上部面表示部ＴＤＰ（図１）と少なくとも４つの側面表示部ＳＤＰ１、ＳＤＰ２、ＳＤＰ３、ＳＤＰ４（図１）を含む携帯用端末機ＭＤとこのような携帯用端末機をカバーする携帯用端末機カバーＰＣ−３ｂを含む。
【０１２４】
携帯用端末機カバーＰＣ−３ｂの側面部ＳＰ１、ＳＰ２、ＳＰ３、ＳＰ４は側面表示部ＳＤＰ１、ＳＤＰ２、ＳＤＰ３、ＳＤＰ４（図１）をカバーし、携帯用端末機カバーＰＣ−３ｂの前面部ＦＰは上部面表示部ＴＤＰをカバーする。図２２は前面部ＦＰがオープンにされて上部面表示部ＴＤＰ（図１）が露出された状態を示した。一方、図２３は前面部ＦＰが上部面表示部ＴＤＰ（図１）をカバーした場合を示した。図２２及び図２３に図示した一実施形態の電子装置ＤＤ−３で携帯用端末機カバーＰＣ−３ｂの側面部ＳＰ１、ＳＰ２、ＳＰ３、ＳＰ４は全て透明であり、また、前面部ＦＰは透明である。携帯用端末機カバーＰＣ−３ｂの背面部ＲＰと連結部ＥＰは不透明である。
【０１２５】
したがって、図２２及び図２３に図示した一実施形態の電子装置ＤＤ−３では４つの側面表示部を含んで上部面のみならず、側面にもイメージを提供し、透明な側面部を含んだ携帯用端末機カバーを含んで側面表示部を保護しつつ、同時に側面表示部で提供されるイメージを使用者が容易に認識するようにする。
【０１２６】
一方、図２２及び図２３では前面部ＦＰは透明であり、背面部ＲＰは不透明である場合を図示したが、これは例示的なものであって、前面部ＦＰと背面部ＲＰとは全て不透明であるか、又は前面部ＦＰと背面部ＲＰとは全て透明であってもよい。
【０１２７】
図２４及び図２５は一実施形態の携帯用端末機カバーＰＣ−４を示した図面である。一実施形態の携帯用端末機カバーＰＣ−４は透明な複数の側面部ＳＰ１、ＳＰ２、ＳＰ３、ＳＰ４、複数の側面部ＳＰ１、ＳＰ２、ＳＰ３、ＳＰ４と連結された背面部ＲＰ、及び複数の側面部ＳＰ１、ＳＰ２、ＳＰ３、ＳＰ４の中のいずれか１つの側面部と連結された前面部ＦＰを含む。図２４及び図２５に図示した一実施形態で前面部ＦＰは第４側面部ＳＰ４の一側と連結される。
【０１２８】
図２５は図２４に図示した一実施形態の携帯用端末機カバーＰＣ−４で前面部ＦＰが一部オープンにされた状態を示した一側面図である。図２５を参照すれば、前面部ＦＰは完全にオープンにされる場合、第１側面部ＳＰ１の延長方向と並行な第５方向軸ＤＲ５の方向に広がる。
【０１２９】
一方、図１７乃至図１９では前面部ＦＰが第２側面部ＳＰ２に連結された実施形態を図示し、図２４では前面部ＦＰが第４側面部ＳＰ４に連結された実施形態を図示したが、実施形態がこれに限定されない。例えば、一実施形態で前面部ＦＰは第１側面部ＳＰ１又は第３側面部ＳＰ３と連結される。
【０１３０】
図２６は一実施形態の携帯用端末機カバーＰＣ−５の斜視図である。図２７及び図２８は図２６に図示した一実施形態の携帯用端末機カバーＰＣ−５を含んだ電子装置ＤＤ−４の斜視図である。図２７は一実施形態の電子装置ＤＤ−４の上部面を主に示すようにした斜視図であり、図２８は一実施形態の電子装置ＤＤ−４の下部面を主に示すようにした斜視図である。
【０１３１】
図２６乃至図２８を参照すれば、一実施形態の携帯用端末機カバーＰＣ−５は透明な複数の側面部ＳＰ１、ＳＰ２、ＳＰ３、ＳＰ４、複数の側面部ＳＰ１、ＳＰ２、ＳＰ３、ＳＰ４の中のいずれか１つの側面部と連結された前面部ＦＰ、及び複数の側面部ＳＰ１、ＳＰ２、ＳＰ３、ＳＰ４と連結された背面部ＲＰ−５を含む。また、一実施形態の携帯用端末機カバーＰＣ−５は複数の側面部ＳＰ１、ＳＰ２、ＳＰ３、ＳＰ４の中の隣接する側面部の間に配置された連結部ＥＰ−５をさらに含む。一実施形態の携帯用端末機カバーＰＣ−５の複数の側面部ＳＰ１、ＳＰ２、ＳＰ３、ＳＰ４は携帯用端末機の側面表示部ＳＤＰ１、ＳＤＰ２、ＳＤＰ３、ＳＤＰ４をカバーし、前面部ＦＰは携帯用端末機の上部面表示部ＴＤＰをカバーする。前面部ＦＰと側面部ＳＰ１、ＳＰ２、ＳＰ３、ＳＰ４とは全て透明である。
【０１３２】
図２７を参照すれば、一実施形態の携帯用端末機カバーＰＣ−５で連結部ＥＰ−５は発光素子ＬＰを含む。また、図２８を参照すれば、一実施形態の携帯用端末機カバーＰＣ−５で背面部ＲＰは背面発光素子ＢＬＰ、ＢＬＰ−Ｌを含む。
【０１３３】
発光素子ＬＰは単一色の光を放出する。例えば、発光素子ＬＰは携帯用端末機ＭＤで提供されるイメージの一体感のために隣接する側面表示部ＳＤＰ１、ＳＤＰ２、ＳＤＰ３、ＳＤＰ４で提供されるイメージと類似の色感の色を放出する。発光素子ＬＰで放出される光は携帯用端末機ＭＤによって制御される。一方、一実施形態の電子装置ＤＤ−４で発光素子ＬＰは携帯用端末機ＭＤと電気的に連結される。即ち、連結部ＥＰ−５の発光素子ＬＰは携帯用端末機ＭＤで提供される信号を受信して制御される。
【０１３４】
一方、背面発光素子ＢＬＰ、ＢＬＰ−Ｌは背面部ＲＰ−５に含まれる。背面発光素子ＢＬＰ、ＢＬＰ−Ｌは単一色の光又は互いに異なる色の光を放出する。例えば、背面発光素子ＢＬＰ、ＢＬＰ−Ｌは携帯用端末機ＭＤで提供されるイメージの一体感のために隣接する側面表示部ＳＤＰ１、ＳＤＰ２、ＳＤＰ３、ＳＤＰ４で提供されるイメージと類似な色感の色を放出する。また、背面発光素子ＢＬＰ、ＢＬＰ−Ｌは使用者が選好するか、又は選択した記号、文字、色相等を表示するように制御される。一実施形態の電子装置ＤＤ−４で背面発光素子ＢＬＰ、ＢＬＰ−Ｌは携帯用端末機ＭＤと電気的に連結される。即ち、背面部の背面発光素子ＢＬＰ、ＢＬＰ−Ｌは携帯用端末機ＭＤで提供される信号を受信して制御される。
【０１３５】
また、発光素子ＬＰ及び背面発光素子ＢＬＰ、ＢＬＰ−Ｌはイメージを提供する表示部機能を果たす。発光素子ＬＰは側面表示部ＳＤＰ１、ＳＤＰ２、ＳＤＰ３、ＳＤＰ４で提供されるイメージとの一体感のために携帯用端末機ＭＤで提供され、側面表示部ＳＤＰ１、ＳＤＰ２、ＳＤＰ３、ＳＤＰ４で提供されるイメージと連結されたイメージを提供する。背面発光素子ＢＬＰ、ＢＬＰ−Ｌは使用者の選択に応じて多様なイメージを提供する表示部機能を果たす。
【０１３６】
一方、一実施形態の電子装置ＤＤ−４で発光素子ＬＰ及び背面発光素子ＢＬＰ、ＢＬＰ−Ｌは携帯用端末機ＭＤと電気的に連結され、携帯用端末機ＭＤによって制御されてイメージを提供する制御部をさらに含む。
【０１３７】
図２６乃至図２８に図示した一実施形態の携帯用端末機カバーＰＣ−５とこれを含む電子装置ＤＤ−４で携帯用端末機カバーＰＣ−５に含まれた発光素子ＬＰと背面発光素子ＢＬＰ、ＢＬＰ−Ｌはイメージが提供されない携帯用端末機のコーナー部ＣＤＰ又は下部面で光を放出するか、又はイメージを表示して電子装置ＤＤ−４が多様な表示機能を有するようにする。
【０１３８】
図２７では連結部ＥＰ−５に含まれた発光素子ＬＰが側面表示部ＳＤＰ１、ＳＤＰ４と上部面表示部ＴＤＰで表示された色と同一な色相を具現するようにして表示装置ＤＤ−４が提供するイメージが全体的に一体感を有するようにすることを例示的に示した。図２７で上部面表示部ＴＤＰで表示された重要イメージＭＩＭを除外した残る上部面表示部ＴＤＰと側面表示部と連結部ＥＰ−５の発光素子ＬＰでは類似な色感を有するように制御して重要イメージＭＩＭをより現実的に表示する。
【０１３９】
図２８は電子装置ＤＤ−４の下部面を示したものであって、図２８では背面発光素子ＢＬＰ、ＢＬＰ−Ｌを制御してイメージを具現する例示を概略的に示した。図２８で背面発光素子ＢＬＰ、ＢＬＰ−Ｌの中で‘‘ＢＬＰ−Ｌ’’は光を発生させる素子であり‘‘ＢＬＰ’’は動作しない発光素子を示した。図２８では‘‘ｓ’’字を表示する例を図示したが、一実施形態の電子装置ＤＤ−４は下部面で多様な文字、記号、イメージ等を背面発光素子ＢＬＰ、ＢＬＰ−Ｌを利用して表示できる。
【０１４０】
一実施形態の携帯用端末機カバーは透明な側面部を有することによって側面表示部を有する携帯用端末機の側面表示部を保護しつつ、同時に側面表示部で提供されるイメージを使用者に見せることができる。また、一実施形態の電子装置は４面以上の側面表示部を有することによって多様な方向にイメージを表示して使用者に多様な情報を提供でき、また側面表示部で提供されるイメージを透過させる透明な側面部を有する携帯用端末機カバーを含んで携帯用端末機を効果的に保護できる。
【０１４１】
以上では本発明の望ましい実施形態を参照して説明したが、該当技術分野の熟練された当業者又は該当技術分野に通常の知識を有する者であれば、後述の特許請求の範囲に記載された本発明の思想及び技術領域から逸脱しない範囲内で本発明を多様に修正及び変更可能なことを理解できる。
【０１４２】
したがって、本発明の技術的範囲は明細書の詳細な説明に記載された内容に限定されず、特許請求の範囲によって定まれなければならない。
【符号の説明】
【０１４３】
ＢＤＰ  下部面
ＢＬＰ、ＢＬＰ−Ｌ  背面発光素子
ＣＤＰ  コーナー部
ＣＰ、ＣＰ−１  蓋部
ＤＤ、ＤＤ−１、ＤＤ−２、ＤＤ−３、ＤＤ−４  電子装置
ＥＰ、ＥＰ−５  連結部
ＦＰ  前面部
ＩＭ  主要イメージ
ＬＰ  発光素子
ＭＤ  携帯用端末機
ＭＩＭ  重要イメージ
ＯＳ１、ＯＳ２、ＯＳ３、ＯＳ４  挿入空間
ＰＣ、ＰＣ−１、ＰＣ−１ａ、ＰＣ−２、ＰＣ−２ａ、ＰＣ−３、ＰＣ−３ａ、ＰＣ−３ｂ、ＰＣ−４、ＰＣ−５  携帯用端末機カバー
ＲＰ、ＲＰ−５  背面部
ＳＤＰ１、ＳＤＰ２、ＳＤＰ３、ＳＤＰ４  側面表示部
ＳＩＭ  サブイメージ
ＳＰ１、ＳＰ２、ＳＰ２−ｂ、ＳＰ３、ＳＰ４  側面部
ＴＤＰ  上部面表示部
ＷＰ  補助表示窓
【図１】
2019047499.tif 000003
【図２】
2019047499.tif 000004
【図３】
2019047499.tif 000005
【図４】
2019047499.tif 000006
【図５】
2019047499.tif 000007
【図６】
2019047499.tif 000008
【図７】
2019047499.tif 000009
【図８】
2019047499.tif 000010
【図９】
2019047499.tif 000011
【図１０】
2019047499.tif 000012
【図１１】
2019047499.tif 000013
【図１２】
2019047499.tif 000014
【図１３】
2019047499.tif 000015
【図１４】
2019047499.tif 000016
【図１５】
2019047499.tif 000017
【図１６】
2019047499.tif 000018
【図１７】
2019047499.tif 000019
【図１８】
2019047499.tif 000020
【図１９】
2019047499.tif 000021
【図２０】
2019047499.tif 000022
【図２１】
2019047499.tif 000023
【図２２】
2019047499.tif 000024
【図２３】
2019047499.tif 000025
【図２４】
2019047499.tif 000026
【図２５】
2019047499.tif 000027
【図２６】
2019047499.tif 000028
【図２７】
2019047499.tif 000029
【図２８】
2019047499.tif 000030